(57)【特許請求の範囲】
【請求項１】
情報をＤＶＤやハードディスクに蓄積し、蓄積した情報を再生可能な記録再生機能を有するハードディスク内蔵ＤＶＤレコーダであって、
低消費電力の待機時電源制御手段と、ＤＶＤおよびハードディスクのインデックス情報を保存して高速起動可能な待機状態電源制御手段と、通常動作電源制御手段と、
前記低消費電力の待機時電源と高速起動可能な待機状態電源と通常の電源投入状態を制御できるＣＰＵと、光センサと、タイマーとを有し、
前記タイマーからの情報により、ハードディスク内蔵ＤＶＤレコーダが使用されると予想される時間帯であると判断され、かつ、光センサからの情報により、部屋が明るいと判断され、かつ、電源待機時である場合、システムの電源を低消費電力の待機時電源から高速起動可能な待機状態電源に切り替えることを特徴とするハードディスク内蔵ＤＶＤレコーダ。
【発明の詳細な説明】
【技術分野】
【０００１】
本発明は、ハードディスク内蔵ＤＶＤレコーダに係り、特に、ハードディスク内蔵ＤＶＤレコーダにおいて、電源待機状態から、録画や再生を高速に開始できる技術に関する。
【背景技術】
【０００２】
従来のアナログ形式で磁気記録媒体に番組を記録する家庭用ＶＴＲ（ビデオテープレコーダ）に取って代わって、ＤＶＤ（Video Versolitile Disk；多目的光磁気ディスク）レコーダが、近年家庭に普及している。そして、ＤＶＤレコーダにハードディスクを付加した、ハードディスク・ＤＶＤ複合レコーダが一般的になっている。
【０００３】
ハードディスクやＤＶＤに記録するときには、番組はＭＰＥＧ２などの動画像圧縮技術を用いてデジタル形式で記録する。このため、従来のＶＴＲに比べると、繰り返し再生をしても画質の劣化がないという特徴がある。また、近年、ＢＳ、ＣＳ放送もほぼデジタル化し、地上波デジタル放送も開始されていることから、放送を直接デジタル形式で、記録することができる環境となってきている。このことにより、放送時の画質と全く同等の画質劣化のない、記録再生が可能になっている。
【０００４】
ＶＴＲでは、電源投入時から、録画や再生開始するまでの時間（これを起動時間という）は、概ね数秒であった。これは、まず、制御をするマイコンが高速に起動でき、なおかつ、テープを記録するメカ部分が、高速に記録、または再生可能な状態に遷移できるからである。
【０００５】
しかし、近年のＤＶＤやハードディスク搭載のレコーダは、電源起動に非常に長い時間が掛かっている。これは、機器全体が非常に複雑になり、起動時の初期化もそれに伴って複雑になり、一つ一つ手順を踏んで行くと多くの時間が掛かることと、さらに、従来のビデオテープと違って、使用可能な状態に到達するまでに、ディスクの種類の判別をして、内容のインデックスなどを読み出して、記録や再生をするための基本的な情報を、マイコンが把握する必要があるからである。ハードディスク内蔵ＤＶＤレコーダではこれら手順を踏むために、おおよそ３０秒から長いときには１分近く掛かる場合がある。
【０００６】
ユーザーは、赤外線リモコンなどの操作により、電源を入れる操作を行ってから、実際に再生、あるいは録画が開始できるまで長時間待つのを好まないので、近年、高速電源起動するハードディスク内蔵ＤＶＤレコーダ（ＤＶＤ・ハードディスクレコーダ）が登場している。これは、通常の電源起動処理を行った後に、電源をＯＦＦ状態にしても、システムの一部電源をＯＮのままにすることにより、２回目以降の電源起動処理を大幅に短縮し、再度電源をＯＮした時には高速で起動後の処理を短縮するものである。このような操作により、電源起動時間は、数秒程度以下にまで、高速化している。
【０００７】
図４に、ハードディスク内蔵ＤＶＤレコーダ（ＤＶＤ・ハードディスクレコーダ）の構成例を示し、電源投入後の動作手順を説明する。ハードディスク内蔵ＤＶＤレコーダ４０１は、使用しない時すなわち電源ＯＮ待機時、サブＣＰＵ４０３とリモコン受光部４０２だけが通電状態になっており、ユーザーの電源投入指示のリモコン操作を待って状態である。サブＣＰＵ４０３は、リモコン受光部４０２から電源投入の信号を受けると、主要システム４０５の電源を投入する。ＣＰＵ４０７は、ＲＯＭ４０８に記述された実行手順すなわちプログラムに従い、主要システム４０５を構成する各ブロックの初期化を行う。ＣＰＵ４０７は、初期化が完了した後に、チューナ４１０が受信している放送の動画像音声信号を受け取り、ＴＶ受像器への出力信号４２９を出力する。
【０００８】
一方で、ＣＰＵ４０７は、ＤＶＤドライブ４１１を制御し、まず、ディスクの有無をチェックする。ディスクがある場合には、ディスクの回転を開始し、ディスクの種類を判別する。そして、ディスクに書かれている内容のインデックス情報を取得し、ＲＡＭ４０９に保存する。インデックス情報とは、ディスクの使用状態や、記録されている番組の開始位置など、録画や再生に必要な情報を含むデータ群である。
【０００９】
ＣＰＵ４０７は、さらにハードディスクドライブ４１２を制御し、ディスクに書かれている内容のインデックス情報を取得し、ＲＡＭ４０９に保存する。
【００１０】
ＤＶＤを再生する場合には、ＣＰＵ４０７は、ＤＶＤから読み出して、ＲＡＭ４０９に保存したインデックス情報に基づき、ＤＶＤドライブ４１１を制御し、ディスク（ＤＶＤ）内の動画像音声圧縮情報を読み出して、ＣＰＵ４０７にて、動画像音声を復号し、ＴＶ受像器への出力信号４２９を出力する。
【００１１】
ハードディスク上の動画像音声を再生する場合には、ＣＰＵ４０７は、ハードディスクから読み出して、ＲＡＭ４０９に保存したインデックス情報に基づき、ハードディスクドライブ４１２を制御し、ディスク（ハードディスク）内の動画像情報を読み出して、ＣＰＵ４０７にて、動画像音声を復号し、ＴＶ受像器への出力信号４２９を出力する。
【００１２】
ＤＶＤに受信中の放送を記録する場合には、ＣＰＵ４０７は、ＲＡＭ４０９に保存したＤＶＤのインデックス情報に基づき、チューナ４１０からの信号を、ＤＶＤドライブ４１１を制御して、ＤＶＤの適切な位置に記録する。ＣＰＵ４０７は、さらに、記録した情報がインデックスに反映するようにＲＡＭ４０９に保存したインデックス情報を更新し、ＤＶＤの適切な位置に記録する。
【００１３】
ハードディスクに受信中の放送を記録する場合には、ＣＰＵ４０７は、ＲＡＭ４０９に保存したハードディスクのインデックス情報に基づき、チューナ４１０からの信号を、ハードディスクドライブ４１２を制御して、ハードディスクの適切な位置に記録する。そして、記録した情報が反映するようにＲＡＭ４０９に保存したインデックス情報に更新し、ハードディスクの適切な位置に記録する。
【００１４】
サブＣＰＵ４０３には、録画タイマー４０４が内蔵されており、ユーザーが希望する時間に、主要システム４０５の電源を投入し、ＤＶＤ録画あるいはハードディスク録画を前記手順に基づき開始し、番組を録画した後に、録画を停止して、主要システム４０５の電源を切ることができる。
【００１５】
待機時から、録画、あるいは再生を開始するまでの手順は、前記の通りであり、３０秒から１分程度と、リモコンを構えて待っているユーザーにとっては非常に長い。
【００１６】
この問題を解決するために、一度、前記初期化と、ＤＶＤとハードディスクのインデックス情報の読み込みとを行い、録画、再生準備が完了したら、ユーザーが電源を切る操作をして、待機時に戻る場合でも、一部のブロックの電源を投入したままにすることが考えられる。
【００１７】
これを図４で説明をする。前記の手順に従い、一度、初期化をして、ＤＶＤやハードディスクのインデックスを読み込み、録画再生など、ユーザーが使用した後に、サブＣＰＵ４０３はリモコン受光部４０２から、電源オフの信号を受ける。サブＣＰＵ４０３は、高速起動構成システム４０６に電源を供給したまま、そのほかの主要システム４０５の電源を切る。高速起動システム４０６の電源は入っているままなので、ＤＶＤやハードディスクのインデックス情報は、ＲＡＭ４０９に保存された状態である。次に、サブＣＰＵ４０３は、リモコン受光部４０２から、電源投入の信号を受けると、主要システム４０５の電源を投入する。ＣＰＵ４０７は、連動して、チューナ４１０、ＤＶＤドライブ４１１、ハードディスクドライブ４１２の初期化を行う。このとき、ＲＡＭ４０９にはすでに、ＤＶＤやハードディスクのインデックス情報は保存されているので、初期化した後に、ＤＶＤやハードディスクの録画や再生の開始ができる状態である。
【００１８】
このようにして、電源待機時から、ＤＶＤやハードディスクの録画や再生までの時間を、大幅に短縮することができる。
【発明の開示】
【発明が解決しようとする課題】
【００１９】
しかしながら、前記した図４の構成において、電源待機時にも、高速起動構成システム４０６に電源を供給し続けると、消費電力が増えてしまうという欠点がある。
【００２０】
本発明は上記の点に鑑みなされたもので、その目的とするところは、より効率的に、高速起動待機時と省電力待機時を切り替えることを可能とし、省電力と高速起動を両立させることにある。
【課題を解決するための手段】
【００２１】
本発明は上記した目的を達成するため、情報をＤＶＤやハードディスクに蓄積し、蓄積した情報を再生可能な記録再生機能を有するハードディスク内蔵ＤＶＤレコーダであって、低消費電力の待機時電源制御手段と、ＤＶＤおよびハードディスクのインデックス情報を保存して高速起動可能な待機状態電源制御手段と、通常動作電源制御手段と、前記低消費電力の待機時電源と高速起動可能な待機状態電源と通常の電源投入状態を制御できるＣＰＵと、光センサと、タイマーとを有し、前記タイマーからの情報により、ハードディスク内蔵ＤＶＤレコーダが使用されると予想される時間帯であると判断され、かつ、光センサからの情報により、部屋が明るいと判断され、かつ、電源待機時である場合、システムの電源を低消費電力の待機時電源から高速起動可能な待機状態電源に切り替える。
【発明の効果】
【００２２】
本発明によれば、電源待機時と高速起動待機状態への遷移を、周囲の明るさや時間帯により制御することができ、電源投入時から録画や再生が可能に移行する時間を短縮すると同時に、従来のシステムにわずかな機能を追加するだけで、待機時の省電力化を図ることができる。
【発明を実施するための最良の形態】
【００２３】
以下、本発明の実施の形態を、図面を用いて説明する。
【００２４】
＜第１実施形態＞
図１は、本発明の第１実施形態に係るハードディスク内蔵ＤＶＤレコーダ（ＤＶＤ・ハードディスクレコーダ）の構成を示すブロック図である。
【００２５】
ハードディスク内蔵ＤＶＤレコーダ１０１は、使用しない時すなわち電源待機時、サブＣＰＵ１０４とリモコン受光部１０２と光センサ１０３だけが通電状態になっており、ユーザーの電源投入指示のリモコン操作を待って状態である。サブＣＰＵ１０４は、光センサ１０３の検出情報から、周囲の明るさを検知することができる。サブＣＰＵ１０４は、部屋が明るい時、すなわち、昼間である、あるいは、室内灯が灯っており、人が周囲にいる状態であると推測できる状態を検知できる。
【００２６】
サブＣＰＵ１０４は、部屋が明るいと判断され、かつ電源待機時である場合、主要システム１０６の電源を入れる。ＣＰＵ１０８は、ＲＯＭ１０９に記述された実行手順すなわちプログラムに従い、主要システム１０６を構成する各ブロックの初期化を行う。ＣＰＵ１０８は、初期化が完了した後に、チューナ１１１が受信している放送の動画像音声信号を受け取り、ＴＶ受像器への出力信号１３０を出力する。
【００２７】
一方で、ＣＰＵ１０８は、ＤＶＤドライブ１１２を制御し、まず、ディスクの有無をチェックする。ディスクがある場合には、ディスクの回転を開始し、ディスクの種類を判別する。そして、ディスクに書かれている内容のインデックス情報を取得し、ＲＡＭ１１０に保存する。インデックス情報とは、ディスクの使用状態や、記録されている番組の開始位置など、録画や再生に必要な情報を含むデータ群である。
【００２８】
ＣＰＵ１０８は、さらにハードディスクドライブ１１３を制御し、ディスクに書かれている内容のインデックス情報を取得し、ＲＡＭ１１０に保存する。
【００２９】
サブＣＰＵ１０４は、高速起動システム１０７の電源を入れたままにして、主要システム１０６のそのほかのブロックの電源を切る。
【００３０】
サブＣＰＵ１０４は、リモコン受光部１０２から、電源ＯＮの信号を受けると、まず、高速起動構成システム１０７の電源が入っている状態かそうでないかを判断する。高速起動構成システム１０７の電源が入っている場合には、サブＣＰＵ１０４は主要システム１０６の電源を投入する。ＣＰＵ１０８は、主要システム１０６を構成するブロックのうち必要なブロックの初期化を行う。ＤＶＤやハードディスクのインデックス情報は、前記電源待機時から、高速起動構成システム１０７ＯＮ状態への移行ですでに、ＲＡＭ１１０に保存してあるので、ここでは、再度読み出す必要はない。
【００３１】
高速起動構成システム１０７の電源が入っていない場合には、主要システム１０６の電源を入れる。ＣＰＵ１０８は、ＲＯＭ１０９に記述された実行手順すなわちプログラムに従い、主要システム１０６を構成する各ブロックの初期化を行う。ＣＰＵ１０８は、初期化が完了した後に、チューナ１１１が受信している放送の動画像音声信号を受け取り、ＴＶ受像器への出力信号１３０を出力する。
【００３２】
一方で、ＣＰＵ１０８は、ＤＶＤドライブ１１２を制御し、まず、ディスクの有無をチェックする。ディスクがある場合には、ディスクの回転を開始し、ディスクの種類を判別する。そして、ディスクに書かれている内容のインデックス情報を取得し、ＲＡＭ１１０に保存する。インデックス情報とは、ディスクの使用状態や、記録されている番組の開始位置など、録画や再生に必要な情報を含むデータ群である。
【００３３】
ＣＰＵ１０８は、さらにハードディスクドライブ１１３を制御し、ディスクに書かれている内容のインデックス情報を取得し、ＲＡＭ１１０に保存する。
【００３４】
ＤＶＤを再生する場合には、ＣＰＵ１０８は、ＤＶＤから読み出して、ＲＡＭ１１０に保存したインデックス情報に基づき、ＤＶＤドライブ１１２を制御し、ディスク（ＤＶＤ）内の動画像音声圧縮情報を読み出し、ＣＰＵ１０８にて、動画像音声を復号し、ＴＶ受像器への出力信号１３０を出力する。
【００３５】
ハードディスク上の動画像音声を再生する場合には、ＣＰＵ１０８は、ハードディスクから読み出して、ＲＡＭ１１０に保存したインデックス情報に基づき、ハードディスクドライブ１１３を制御し、ディスク（ハードディスク）内の動画像情報を読み出し、ＣＰＵ１０８にて、動画像音声を復号し、ＴＶ受像器への出力信号１３０を出力する。
【００３６】
ＤＶＤに受信中の放送を記録する場合には、ＣＰＵ１０８は、ＲＡＭ１１０に保存したＤＶＤのインデックス情報に基づき、チューナ１１１からの信号を、ＤＶＤドライブ１１２を制御して、ＤＶＤの適切な位置に記録する。ＣＰＵ１０８は、さらに、記録した情報がインデックスに反映するようにＲＡＭ１１０に保存したインデックス情報を更新し、ＤＶＤの適切な位置に記録する。
【００３７】
ハードディスクに受信中の放送を記録する場合には、ＣＰＵ１０８は、ＲＡＭ１１０に保存したハードディスクのインデックス情報に基づき、チューナ１１１からの信号を、ハードディスクドライブ１１３を制御して、ハードディスクの適切な位置に記録する。そして、記録した情報が反映するようにＲＡＭ１１０に保存したインデックス情報に更新し、ハードディスクの適切な位置に記録する。
【００３８】
サブＣＰＵ１０４は、リモコン受光部１０２から、電源ＯＦＦの信号を受信したら、光センサ１０３からの得られる周囲の明るさから判断し、明るい場合には、高速起動システム１０７の電源を入れたまま、主要システム１０６の電源を切り、高速起動待機状態になる。
【００３９】
また、サブＣＰＵ１０４は光センサからの信号により、周囲が十分に暗く、機器が使用される可能性は低いと考えられる場合で、ユーザーが録画や再生をしていたりタイマー録画実行中ではない場合、高速起動構成システム１０７の電源を切り、通常の待機時へと移行する。通常の待機時は、サブＣＰＵ１０４、リモコン受光部１０２、光センサ１０３だけが通電状態であり、省電力である。
【００４０】
＜第２実施形態＞
図２は、本発明の第２実施形態に係るハードディスク内蔵ＤＶＤレコーダ（ＤＶＤ・ハードディスクレコーダ）の構成を示すブロック図である。
【００４１】
本第２実施形態は、前記第１実施形態の構成から、光センサ１０３を取り除き、前記第１実施形態のサブＣＰＵ１０３に遷移タイマーを追加したものである。前記第１実施形態では、光センサにより、周囲の明るさを検知し、主要システムと高速起動構成システムの電源の制御を行っていたが、本第２実施形態では、サブＣＰＵ２０３に遷移タイマー２０５を搭載し、主要システム２０６と高速起動構成システム２０７の電源を制御するものである。
【００４２】
サブＣＰＵ２０３は、遷移タイマー２０５からの情報により、ユーザーがこの機器を使用すると予想される時間帯であると判断され、かつ電源待機時である場合、主要システム２０６の電源を入れる。ＣＰＵ２０８は、ＲＯＭ２０９に記述された実行手順すなわちプログラムに従い、主要システム２０６を構成する各ブロックの初期化を行う。ＣＰＵ２０８は、初期化が完了した後に、チューナ２１１が受信している放送の動画像音声信号を受け取り、ＴＶ受像器への出力信号２２９を出力する。
【００４３】
一方で、ＣＰＵ２０８は、ＤＶＤドライブ２１２を制御し、まず、ディスクの有無をチェックする。ディスクがある場合には、ディスクの回転を開始し、ディスクの種類を判別する。そして、ディスクに書かれている内容のインデックス情報を取得し、ＲＡＭ２１０に保存する。インデックス情報とは、ディスクの使用状態や、記録されている番組の開始位置など、録画や再生に必要な情報を含むデータ群である。
【００４４】
ＣＰＵ２０８は、さらにハードディスクドライブ２１３を制御し、ディスクに書かれている内容のインデックス情報を取得し、ＲＡＭ２１０に保存する。
【００４５】
サブＣＰＵ２０４は、高速起動システム２０７の電源を入れたままにして、主要システム２０６のそのほかのブロックの電源を切る。
【００４６】
サブＣＰＵ２０３は、リモコン受光部２０２から、電源ＯＮの信号を受けると、まず、高速起動構成システム２０７の電源が入っている状態かそうでないかを判断する。高速起動構成システム２０７の電源が入っている場合には、サブＣＰＵ２０３は主要システム２０６の電源を投入する。ＣＰＵ２０８は、主要システム２０６を構成するブロックのうち必要なブロックの初期化を行う。ＤＶＤやハードディスクのインデックス情報は、前記電源待機時から、高速起動構成システム２０７投入状態への移行で既に、ＲＡＭ２１０に保存してあるので、ここでは、再度読み出す必要はない。
【００４７】
高速起動構成システム２０７の電源が入っていない場合には、主要システム２０６の電源を入れる。ＣＰＵ２０８は、ＲＯＭ２０９に記述された実行手順すなわちプログラムに従い、主要システム２０６を構成する各ブロックの初期化を行う。ＣＰＵ２０８は、初期化が完了した後に、チューナ２１１が受信している放送の動画像音声信号を受け取り、ＴＶ受像器への出力信号２２９を出力する。
【００４８】
一方で、ＣＰＵ２０８は、ＤＶＤドライブ２１２を制御し、まず、ディスクの有無をチェックする。ディスクがある場合には、ディスクの回転を開始し、ディスクの種類を判別する。そして、ディスクに書かれている内容のインデックス情報を取得し、ＲＡＭ２１０に保存する。インデックス情報とは、ディスクの使用状態や、記録されている番組の開始位置など、録画や再生に必要な情報を含むデータ群である。
【００４９】
ＣＰＵ２０８は、さらにハードディスクドライブ２１３を制御し、ディスクに書かれている内容のインデックス情報を取得し、ＲＡＭ２１０に保存する。
【００５０】
ＤＶＤを再生する場合には、ＣＰＵ２０８は、ＤＶＤから読み出して、ＲＡＭ２１０に保存したインデックス情報に基づき、ＤＶＤドライブ２１２を制御し、ディスク（ＤＶＤ）内の動画像音声圧縮情報を読み出し、ＣＰＵ２０８にて、動画像音声を復号し、ＴＶ受像器への出力信号２２９を出力する。
【００５１】
ハードディスク上の動画像音声を再生する場合には、ＣＰＵ２０８は、ハードディスクから読み出して、ＲＡＭ２１０に保存したインデックス情報に基づき、ハードディスクドライブ２１３を制御し、ディスク（ハードディスク）内の動画像情報を読み出し、ＣＰＵ２０８にて、動画像音声を復号し、ＴＶ受像器への出力信号２２９を出力する。
【００５２】
ＤＶＤに受信中の放送を記録する場合には、ＣＰＵ２０８は、ＲＡＭ２１０に保存したＤＶＤのインデックス情報に基づき、チューナ２１１からの信号を、ＤＶＤドライブ２１２を制御して、ＤＶＤの適切な位置に記録する。ＣＰＵ２０８は、さらに、記録した情報がインデックスに反映するようにＲＡＭ２１０に保存したインデックス情報を更新し、ＤＶＤの適切な位置に記録する。
【００５３】
ハードディスクに受信中の放送を記録する場合には、ＣＰＵ２０８は、ＲＡＭ２１０に保存したハードディスクのインデックス情報に基づき、チューナ２１１からの信号を、ハードディスクドライブ２１３を制御して、ハードディスクの適切な位置に記録する。そして、記録した情報が反映するようにＲＡＭ２１０に保存したインデックス情報に更新し、ハードディスクの適切な位置に記録する。
【００５４】
サブＣＰＵ２０３は、リモコン受光部２０２から、電源ＯＦＦの信号を受信したら、遷移タイマー２０５により、ユーザーが通常使用する時間帯であるかないかを判断し、使用する時間帯であれば、高速起動システム２０７の電源を入れたまま、主要システム２０６の電源を切り、高速起動待機状態になる。
【００５５】
また、サブＣＰＵ２０３は、遷移タイマー２０５によりユーザーが通常使用する時間帯ではないと判断する時であって、ユーザーが録画や再生をしていたりタイマー録画実行中ではない場合、高速起動構成システム２０７の電源を切り、通常の待機時へと移行する。通常の待機時は、サブＣＰＵ２０３、リモコン受光部２０２だけが通電状態であり、省電力である。
【００５６】
＜第３実施形態＞
図３は、本発明の第３実施形態に係るハードディスク内蔵ＤＶＤレコーダ（ＤＶＤ・ハードディスクレコーダ）の構成を示すブロック図である。
【００５７】
本第３実施形態は、前記第１実施形態におけるサブＣＰＵ１０３に遷移タイマーを追加したものである。前記第１実施形態では、光センサにより、周囲の明るさを検知し、主要システムと高速起動構成システムの電源の制御を行っていたが、本第３実施形態では、さらにサブＣＰＵ３０４に遷移タイマー３０６を搭載し、光センサと遷移タイマーとを用いて、主要システム３０７と高速起動構成システム３０８の電源を制御するものである。
【００５８】
サブＣＰＵ３０４は、遷移タイマー３０６からの情報により、ユーザーがこの機器を使用すると予想される時間帯であると判断され、かつ、光センサ３０３からの情報により、部屋が明るい（周囲が明るい）と判断され、かつ、電源待機時である場合、主要システム３０７の電源を入れる。ＣＰＵ３０９は、ＲＯＭ３１０に記述された実行手順すなわちプログラムに従い、主要システム３０７を構成する各ブロックの初期化を行う。ＣＰＵ３０９は、初期化が完了した後に、チューナ３１２が受信している放送の動画像音声信号を受け取り、ＴＶ受像器への出力信号３３０を出力する。
【００５９】
一方で、ＣＰＵ３０９は、ＤＶＤドライブ３１３を制御し、まず、ディスクの有無をチェックする。ディスクがある場合には、ディスクの回転を開始し、ディスクの種類を判別する。そして、ディスクに書かれている内容のインデックス情報を取得し、ＲＡＭ３１１に保存する。インデックス情報とは、ディスクの使用状態や、記録されている番組の開始位置など、録画や再生に必要な情報を含むデータ群である。
【００６０】
ＣＰＵ３０９は、さらにハードディスクドライブ３１４を制御し、ディスクに書かれている内容のインデックス情報を取得し、ＲＡＭ３１１に保存する。
【００６１】
サブＣＰＵ３０４は、高速起動システム３０８の電源を入れたままにして、主要システム３０７のそのほかのブロックの電源を切る。
【００６２】
サブＣＰＵ３０４は、リモコン受光部３０２から、電源ＯＮの信号を受けると、まず、高速起動構成システム３０８の電源が入っている状態かそうでないかを判断する。高速起動構成システム３０８の電源が入っている場合には、サブＣＰＵ３０４は主要システム３０７の電源を投入する。ＣＰＵ３０９は、主要システム３０７を構成するブロックのうち必要なブロックの初期化を行う。ＤＶＤやハードディスクのインデックス情報は、前記電源待機時から、高速起動構成システム３０８投入状態への移行で既に、ＲＡＭ３１１に保存してあるので、ここでは、再度読み出す必要はない。
【００６３】
高速起動構成システム３０８の電源が入っていない場合には、主要システム３０７の電源を入れる。ＣＰＵ３０９は、ＲＯＭ３１０に記述された実行手順すなわちプログラムに従い、主要システム３０７を構成する各ブロックの初期化を行う。ＣＰＵ３０９は、初期化が完了した後に、チューナ３１２が受信している放送の動画像音声信号を受け取り、ＴＶ受像器への出力信号３３０を出力する。
【００６４】
一方で、ＣＰＵ３０９は、ＤＶＤドライブ３１３を制御し、まず、ディスクの有無をチェックする。ディスクがある場合には、ディスクの回転を開始し、ディスクの種類を判別する。そして、ディスクに書かれている内容のインデックス情報を取得し、ＲＡＭ３１１に保存する。インデックス情報とは、ディスクの使用状態や、記録されている番組の開始位置など、録画や再生に必要な情報を含むデータ群である。
【００６５】
ＣＰＵ３０９は、さらにハードディスクドライブ３１４を制御し、ディスクに書かれている内容のインデックス情報を取得し、ＲＡＭ３１１に保存する。
【００６６】
ＤＶＤを再生する場合には、ＣＰＵ３０９は、ＤＶＤから読み出して、ＲＡＭ３１１に保存したインデックス情報に基づき、ＤＶＤドライブ３１３を制御し、ディスク（ＤＶＤ）内の動画像音声圧縮情報を読み出し、ＣＰＵ３０９にて、動画像音声を復号し、ＴＶ受像器への出力信号３３０を出力する。
【００６７】
ハードディスク上の動画像音声を再生する場合には、ＣＰＵ３０９は、ハードディスクから読み出して、ＲＡＭ３１１に保存したインデックス情報に基づき、ハードディスクドライブ３１４を制御し、ディスク（ハードディスク）内の動画像情報を読み出し、ＣＰＵ３０９にて、動画像音声を復号し、ＴＶ受像器への出力信号３３０を出力する。
【００６８】
ＤＶＤに受信中の放送を記録する場合には、ＣＰＵ３０９は、ＲＡＭ３１１に保存したＤＶＤのインデックス情報に基づき、チューナ３１２からの信号を、ＤＶＤドライブ３１３を制御して、ＤＶＤの適切な位置に記録する。ＣＰＵ３０９は、さらに、記録した情報がインデックスに反映するようにＲＡＭ３１１に保存したインデックス情報を更新し、ＤＶＤの適切な位置に記録する。
【００６９】
ハードディスクに受信中の放送を記録する場合には、ＣＰＵ３０９は、ＲＡＭ３１１に保存したハードディスクのインデックス情報に基づき、チューナ３１２からの信号を、ハードディスクドライブ３１４を制御して、ハードディスクの適切な位置に記録する。そして、記録した情報が反映するようにＲＡＭ３１１に保存したインデックス情報に更新し、ハードディスクの適切な位置に記録する。
【００７０】
サブＣＰＵ３０４は、リモコン受光部３０２から、電源ＯＦＦの信号を受信したら、遷移タイマー３０６により通常使用する時間帯であり、かつ光センサ３０３からの得られる周囲の明るさから判断し、明るい場合には、高速起動システム３０８の電源を入れたまま、主要システム３０７の電源を切り、高速起動待機状態になる。
【００７１】
また、サブＣＰＵ３０４は、遷移タイマー２０５によりユーザーが通常使用する時間帯ではないと判断する時であって、光センサ３０３からの信号により、周囲が十分に暗く、機器が使用される可能性は低いと考えられる場合で、ユーザーが録画や再生をしていたりタイマー録画実行中ではない場合、高速起動構成システム３０８の電源を切り、通常の待機時へと移行する。通常の待機時は、サブＣＰＵ３０４、リモコン受光部３０２、光センサ３０３だけが通電状態であり、省電力である。
【図面の簡単な説明】
【００７２】
【図１】本発明の第１実施形態に係るハードディスク内蔵ＤＶＤレコーダ（ＤＶＤ・ハードディスクレコーダ）の構成を示すブロック図である。
【図２】本発明の第２実施形態に係るハードディスク内蔵ＤＶＤレコーダ（ＤＶＤ・ハードディスクレコーダ）の構成を示すブロック図である。
【図３】本発明の第３実施形態に係るハードディスク内蔵ＤＶＤレコーダ（ＤＶＤ・ハードディスクレコーダ）の構成を示すブロック図である。
【図４】本発明の第４実施形態に係るハードディスク内蔵ＤＶＤレコーダ（ＤＶＤ・ハードディスクレコーダ）の構成を示すブロック図である。
【符号の説明】
【００７３】
１０１  ハードディスク内蔵ＤＶＤレコーダ
１０２  リモコン受光部
１０３  光センサ
１０４  サブＣＰＵ
１０５  録画タイマー
１０６  ハードディスク内蔵ＤＶＤレコーダの主要システム
１０７  ハードディスク内蔵ＤＶＤレコーダの高速起動構成システム
１０８  ＣＰＵ
１０９  ＲＯＭ
１１０  ＲＡＭ
１１１  チューナ
１１２  ＤＶＤドライブ
１１３  ハードディスクドライブ
１２１  リモコン受光信号
１２２  光レベル信号
１２３  高速起動構成システム電源制御
１２４  主要システム電源制御
１２５  ＲＯＭデータ
１２６  ＲＡＭデータ
１２７  動画像音声信号
１２８  ＤＶＤデータ、制御信号
１２９  ハードディスクデータ、制御信号
１３０  ＴＶへの映像音声出力信号
２０１  ハードディスク内蔵ＤＶＤレコーダ
２０２  リモコン受光部
２０３  サブＣＰＵ
２０４  録画タイマー
２０５  遷移タイマー
２０６  ハードディスク内蔵ＤＶＤレコーダの主要システム
２０７  ハードディスク内蔵ＤＶＤレコーダの高速起動構成システム
２０８  ＣＰＵ
２０９  ＲＯＭ
２１０  ＲＡＭ
２１１  チューナ
２１２  ＤＶＤドライブ
２１３  ハードディスクドライブ
２２１  リモコン受光信号
２２２  高速起動構成システム電源制御
２２３  主要システム電源制御
２２４  ＲＯＭデータ
２２５  ＲＡＭデータ
２２６  動画像音声信号
２２７  ＤＶＤデータ、制御信号
２２８  ハードディスクデータ、制御信号
２２９  ＴＶへの映像音声出力信号
３０１  ハードディスク内蔵ＤＶＤレコーダ
３０２  リモコン受光部
３０３  光センサ
３０４  サブＣＰＵ
３０５  録画タイマー
３０６  遷移タイマー
３０７  ハードディスク内蔵ＤＶＤレコーダの主要システム
３０８  ハードディスク内蔵ＤＶＤレコーダの高速起動構成システム
３０９  ＣＰＵ
３１０  ＲＯＭ
３１１  ＲＡＭ
３１２  チューナ
３１３  ＤＶＤドライブ
３１４  ハードディスクドライブ
３２１  リモコン受光信号
３２２  光レベル信号
３２３  高速起動構成システム電源制御
３２４  主要システム電源制御
３２５  ＲＯＭデータ
３２６  ＲＡＭデータ
３２７  動画像音声信号
３２８  ＤＶＤデータ、制御信号
３２９  ハードディスクデータ、制御信号
３３０  ＴＶへの映像音声出力信号
【図１】
0004767070.tif 000002
【図２】
0004767070.tif 000003
【図３】
0004767070.tif 000004
【図４】
0004767070.tif 000005